(57)【特許請求の範囲】
【請求項１】
その表面に複数のディンプルを備えたゴルフボールであって、
上記ゴルフボールの仮想球の表面積に対する、上記ディンプルの面積の合計の比率Ｓｏが、８１．０％以上であり、
円形ディンプルである場合はこの円の直径であり非円形ディンプルである場合はこの非円形ディンプルの面積と同じ面積を有する円形ディンプルの円の直径であるところのディンプルの直径が、上記ゴルフボールの直径の９．６０％以上１０．３７％以下であるディンプルの数の、ディンプルの総数に対する比率Ｒｓが、５０％以上であり、
上記仮想球の半球のディンプルパターンが、互いに回転対称である３つのユニットからなり、
それぞれのユニットのディンプルパターンが、互いに鏡面対称である２つの小ユニットからなり、
下記数式（１）を満たし、
その直径が上記ゴルフボールの直径の１０．１０％以上１０．３７％以下であるディンプルの数の、ディンプルの総数に対する比率Ｒｓ’が、５０％以上であり、
下記数式（５）を満たすゴルフボール。
Ｒｓ ≧ −２．５ ・ Ｓｏ ＋ ２７３      （１）
Ｒｓ’ ≧ −２．２ ・ Ｓｏ ＋ ２５２      （５）
【請求項２】
下記数式（２）を満たす請求項１に記載のゴルフボール。
Ｒｓ ≧ −２．５ ・ Ｓｏ ＋ ２７８      （２）
【請求項３】
下記数式（３）を満たす請求項２に記載のゴルフボール。
Ｒｓ ≧ −２．５ ・ Ｓｏ ＋ ２８３      （３）
【請求項４】
それぞれのディンプルの最深部の、上記仮想球の表面からの深さが、０．１０ｍｍ以上０．６５ｍｍ以下である請求項１から３のいずれかに記載のゴルフボール。
【請求項５】
上記ディンプルの総容積が４５０ｍｍ３以上７５０ｍｍ３以下である請求項１から４のいずれかに記載のゴルフボール。
【発明の詳細な説明】
【技術分野】
【０００１】
本発明は、ゴルフボールに関する。詳細には、本発明は、ゴルフボールの飛行性能の改良に関する。
【背景技術】
【０００２】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００３】
ディンプルに関する種々の提案が、なされている。特開２００９−１７２１９２公報には、ディンプルがランダムに配置されたゴルフボールが開示されている。このゴルフボールのディンプルパターンは、ランダムパターンと称されている。ランダムパターンは、ゴルフボールの飛行性能に寄与しうる。特開２０１２−１０８２２公報にも、ランダムパターンを有するゴルフボールが開示されている。
【０００４】
特開２００７−１７５２６７公報には、高緯度領域のユニット数と低緯度領域のユニット数とが異なるディンプルパターンが、開示されている。特開２００７−１９５５９１公報には、低緯度領域におけるディンプルの種類数が、高緯度領域におけるディンプルの種類数よりも多いディンプルパターンが、開示されている。特開２０１３−１５３９６６公報には、ディンプルの密度が大きく、かつディンプルのサイズのばらつきが小さなディンプルパターンが、開示されている。
【０００５】
飛行性能の改善を目的とした、ゴルフボールの組成の改良も、種々提案されている。特開２００８−２１２６８１公報には、銅塩を含むゴム組成物から成形されたコアを有するゴルフボールが開示されている。このコアは、ドライバーショットでの反発性能に優れる。特開２００８−１９４４７１公報には、老化防止剤を含むゴム組成物から成形されたコアを有するゴルフボールが開示されている。このコアは、ヘッドスピードの低いドライバーショットでの飛行性能に寄与する。
【先行技術文献】
【特許文献】
【０００６】
【特許文献１】特開２００９−１７２１９２公報
【特許文献２】特開２０１２−１０８２２公報
【特許文献３】特開２００７−１７５２６７公報
【特許文献４】特開２００７−１９５５９１公報
【特許文献５】特開２０１３−１５３９６６公報
【特許文献６】特開２００８−２１２６８１公報
【特許文献７】特開２００８−１９４４７１公報
【発明の概要】
【発明が解決しようとする課題】
【０００７】
ゴルフボールに対するプレーヤーの最大の関心事は、飛行性能である。プレーヤーは、飛行性能に優れたゴルフボールを望んでいる。飛行性能の観点から、ディンプルパターンには改良の余地がある。
【０００８】
本発明の目的は、飛行性能に優れたゴルフボールの提供にある。
【課題を解決するための手段】
【０００９】
本発明に係るゴルフボールは、その表面に複数のディンプルを備える。このゴルフボールの仮想球の表面積に対する、ディンプルの面積の合計の比率Ｓｏは、８１．０％以上である。その直径がゴルフボールの直径の９．６０％以上１０．３７％以下であるディンプルの数の、ディンプルの総数に対する比率Ｒｓは、５０％以上である。仮想球の半球のディンプルパターンは、互いに回転対称である３つのユニットからなる。それぞれのユニットのディンプルパターンは、互いに鏡面対称である２つの小ユニットからなる。このゴルフボールは、下記数式（１）を満たす。
Ｒｓ ≧ −２．５ ・ Ｓｏ ＋ ２７３      （１）
【００１０】
好ましくは、ゴルフボールは、下記数式（２）を満たす。
Ｒｓ ≧ −２．５ ・ Ｓｏ ＋ ２７８      （２）
好ましくは、ゴルフボールは、下記数式（３）を満たす。
Ｒｓ ≧ −２．５ ・ Ｓｏ ＋ ２８３      （３）
【００１１】
好ましくは、その直径がゴルフボールの直径の１０．１０％以上１０．３７％以下であるディンプルの数の、ディンプルの総数に対する比率Ｒｓ’は、５０％以上である。好ましくは、ゴルフボールは、下記数式（４）を満たす。
Ｒｓ’ ≧ −２．２ ・ Ｓｏ ＋ ２４５      （４）
【００１２】
好ましくは、ゴルフボールは、下記数式（５）を満たす。
Ｒｓ’ ≧ −２．２ ・ Ｓｏ ＋ ２５２      （５）
【００１３】
好ましくは、それぞれのディンプルの最深部の、仮想球の表面からの深さは、０．１０ｍｍ以上０．６５ｍｍ以下である。好ましくは、ディンプルの総容積は、４５０ｍｍ３以上７５０ｍｍ３以下である。
【発明の効果】
【００１４】
本発明に係るゴルフボールでは、ドライバーショットにおけるディンプル効果が大きい。このゴルフボールは、飛行性能に優れている。
【図面の簡単な説明】
【００１５】
【図１】図１は、本発明の一実施形態に係るゴルフボールが示された断面図である。
【図２】図２は、図１のゴルフボールが示された平面図である。
【図３】図３は、図２のゴルフボールが示された正面図である。
【図４】図４は、図１のゴルフボールの一部が示された拡大断面図である。
【図５】図５は、比率Ｓｏ及び比率Ｒｓの関係が示されたグラフである。
【図６】図６は、比率Ｓｏ及び比率Ｒｓ’の関係が示されたグラフである。
【図７】図７は、本発明の実施例２に係るゴルフボールが示された平面図である。
【図８】図８は、図７のゴルフボールが示された正面図である。
【図９】図９は、本発明の実施例３に係るゴルフボールが示された平面図である。
【図１０】図１０は、図９のゴルフボールが示された正面図である。
【図１１】図１１は、本発明の実施例４に係るゴルフボールが示された平面図である。
【図１２】図１２は、図１１のゴルフボールが示された正面図である。
【図１３】図１３は、比較例１に係るゴルフボールが示された平面図である。
【図１４】図１４は、図１３のゴルフボールが示された正面図である。
【図１５】図１５は、比較例２に係るゴルフボールが示された平面図である。
【図１６】図１６は、図１５のゴルフボールが示された正面図である。
【図１７】図１７は、比較例３に係るゴルフボールが示された平面図である。
【図１８】図１８は、図１７のゴルフボールが示された正面図である。
【図１９】図１９は、比較例４に係るゴルフボールが示された平面図である。
【図２０】図２０は、図１９のゴルフボールが示された底面図である。
【図２１】図２１は、図１９のゴルフボールが示された右側面図である。
【図２２】図２２は、図１９のゴルフボールが示された正面図である。
【図２３】図２３は、図１９のゴルフボールが示された左側面図である。
【図２４】図２４は、図１９のゴルフボールが示された背面図である。
【図２５】図２５は、比較例５に係るゴルフボールが示された平面図である。
【図２６】図２６は、図２５のゴルフボールが示された正面図である。
【発明を実施するための形態】
【００１６】
以下、適宜図面が参照されつつ、好ましい実施形態に基づいて本発明が詳細に説明される。
【００１７】
図１に示されたゴルフボール２は、球状のコア４と、このコア４の外側に位置する中間層６と、この中間層６の外側に位置するカバー８とを備えている。このゴルフボール２は、その表面に多数のディンプル１０を有している。ゴルフボール２の表面のうちディンプル１０以外の部分は、ランド１２である。このゴルフボール２は、カバー８の外側にペイント層及びマーク層を備えているが、これらの層の図示は省略されている。
【００１８】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。本実施形態に係るゴルフボール２では、その直径は、４２．７０ｍｍである。ランド１２の上にある３０個の点が、無作為に選ばれる。それぞれの点を一端とする直径が、測定される。これらの直径が平均されることにより、このゴルフボール２の直径が算出される。
【００１９】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２０】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２１】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２２】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００２３】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２４】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００２５】
アイオノマー樹脂に代えて、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２６】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２７】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００２８】
カバー８は、樹脂組成物からなる。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００２９】
ポリウレタンは、分子内にウレタン結合を有する。このウレタン結合は、ポリオールとポリイソシアネートとの反応によって形成されうる。
【００３０】
ウレタン結合の原料であるポリオールは、複数のヒドロキシル基を有する。低分子量ポリオール及び高分子量ポリオールが用いられうる。
【００３１】
ポリウレタン成分のイソシアネートとして、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー８の黄変が抑制される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００３２】
ポリウレタンに代えて、カバー８の樹脂組成物が他のポリマーを含んでもよい。他のポリマーとして、アイオノマー樹脂、ポリスチレン、ポリアミド、ポリエステル及びポリオレフィンが例示される。樹脂組成物が、２種以上のポリマーを含んでもよい。
【００３３】
カバー８の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００３４】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００３５】
ゴルフボール２が、中間層６とカバー８との間に、補強層を備えてもよい。補強層は、中間層６と堅固に密着し、カバー８とも堅固に密着する。補強層は、中間層６からのカバー８の剥離を抑制する。補強層は、ポリマー組成物からなる。補強層の基材ポリマーとして、二液硬化型エポキシ樹脂及び二液硬化型ウレタン樹脂が例示される
【００３６】
図２及び３に示されるように、ディンプル１０の輪郭は円である。このゴルフボール２は、直径が４．７０ｍｍであるディンプルＡと、直径が４．６０ｍｍであるディンプルＢと、直径が４．４０ｍｍであるディンプルＣと、直径が４．３０ｍｍであるディンプルＤと、直径が３．００ｍｍであるディンプルＥとを備えている。ディンプル１０の種類数は、５である。ゴルフボール２が円形ディンプル１０に代えて、又は円形ディンプル１０と共に、非円形ディンプルを有してもよい。
【００３７】
ディンプルＡの数は３０個であり、ディンプルＢの数は３０個であり、ディンプルＣの数は１５０個であり、ディンプルＤの数は９０個であり、ディンプルＥの数は１２個である。ディンプル１０の総数は、３１２個である。これらのディンプル１０とランド１２とにより、ディンプルパターンが形成されている。
【００３８】
図４には、ディンプル１０の中心及びゴルフボール２の中心を通過する平面に沿った、ゴルフボール２の断面が示されている。図４における上下方向は、ディンプル１０の深さ方向である。図４において二点鎖線１４で示されているのは、仮想球である。仮想球１４の表面は、ディンプル１０が存在しないと仮定されたときのゴルフボール２の表面である。仮想球１４の直径は、ゴルフボール２の直径と同一である。ディンプル１０は、仮想球１４の表面から凹陥している。ランド１２は、仮想球１４の表面と一致している。本実施形態では、ディンプル１０の断面形状は、実質的に円弧である。
【００３９】
図４において矢印Ｄｍで示されているのは、ディンプル１０の直径である。この直径Ｄｍは、ディンプル１０の両側に共通する接線Ｔｇが画かれたときの、一方の接点Ｅｄと他方の接点Ｅｄとの距離である。接点Ｅｄは、ディンプル１０のエッジでもある。エッジＥｄは、ディンプル１０の輪郭を画定する。図４において両矢印Ｄｐ１で示されているのは、ディンプル１０の第一深さである。この第一深さＤｐ１は、ディンプル１０の最深部と仮想球１４の表面との距離である。図４において両矢印Ｄｐ２で示されているのは、ディンプル１０の第二深さである。この第二深さＤｐ２は、ディンプル１０の最深部と接線Ｔｇとの距離である。
【００４０】
それぞれのディンプル１０の直径Ｄｍは、２．０ｍｍ以上６．０ｍｍ以下が好ましい。直径Ｄｍが２．０ｍｍ以上であるディンプル１０は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１０は、実質的に球であるというゴルフボール２の本質を損ねない。この観点から、直径Ｄｍは５．５ｍｍ以下がより好ましく、５．０ｍｍ以下が特に好ましい。
【００４１】
非円形ディンプルの場合、この非円形ディンプルの面積と同じ面積を有する円形ディンプル１０が仮想される。この仮想されたディンプル１０の直径が、非円形ディンプルの直径と見なされる。
【００４２】
ディンプル１０の直径Ｄｍの、ゴルフボール２の直径に対する比率Ｐｄは、９．６０％以上１０．３７％以下が好ましい。この比率が９．６０％以上であるディンプル１０は、乱流化に寄与する。この観点から、比率Ｐｄは９．９０％以上がより好ましく、１０．１０％以上が特に好ましい。この比率Ｐｄが１０．３７％以下であるディンプル１０は、実質的に球であるというゴルフボール２の本質を損ねない。この観点から、比率Ｐｄは１０．３２％以下がより好ましく、１０．２７％以下が特に好ましい。
【００４３】
比率Ｐｄが９．６０％以上１０．３７％以下であるディンプル１０の数の、ディンプル１０の総数に対する比率Ｒｓは、５０％以上が好ましい。比率Ｒｓが５０％以上であるディンプルパターンは、乱流化に寄与する。この観点から、比率Ｒｓは６０％以上がより好ましく、７０％以上が特に好ましい。比率Ｒｓが１００％であってもよい。
【００４４】
比率Ｐｄが１０．１０％以上１０．３７％以下であるディンプル１０の数の、ディンプル１０の総数に対する比率Ｒｓ’は、５０％以上が好ましい。比率Ｒｓ’が５０％以上であるディンプルパターンは、乱流化に寄与する。この観点から、比率Ｒｓ’は６０％以上がより好ましく、７０％以上が特に好ましい。比率Ｒｓ’が１００％であってもよい。
【００４５】
比率Ｐｄが１０．３７％を超えるディンプル１０の数の、ディンプル１０の総数に対する比率は、５０％未満が好ましい。この比率が５０％未満であるディンプルパターンでは、ディンプルパターンの設計の自由度が高く、従ってランド１２の幅が過大となりにくい。この観点から、この比率は３０％以下がより好ましく、１０％以下が特に好ましい。この比率がゼロであってもよい。
【００４６】
ゴルフボール２のホップが抑制されるとの観点から、ディンプル１０の第一深さＤｐ１は０．１０ｍｍ以上が好ましく、０．１３ｍｍ以上がより好ましく、０．１５ｍｍ以上が特に好ましい。ゴルフボール２のドロップが抑制されるとの観点から、第一深さＤｐ１は０．６５ｍｍ以下が好ましく、０．６０ｍｍ以下がより好ましく、０．５５ｍｍ以下が特に好ましい。
【００４７】
ディンプル１０の面積ｓは、無限遠からゴルフボール２の中心を見た場合の、ディンプル１０の輪郭に囲まれた領域の面積である。円形ディンプル１０の場合、面積Ｓは下記数式によって算出される。
S = (Dm / 2)２ * π
【００４８】
図２及び３に示されたゴルフボール２では、ディンプルＡの面積は１７．３５ｍｍ２であり、ディンプルＢの面積は１６．６２ｍｍ２であり、ディンプルＣの面積は１５．２０ｍｍ２であり、ディンプルＤの面積は１４．５２ｍｍ２であり、ディンプルＥの面積は７．０７ｍｍ２である。
【００４９】
本発明では、全てのディンプル１０の面積Ｓの合計の、仮想球１４の表面積に対する比率は、占有率Ｓｏと称される。十分な乱流化が得られるとの観点から、占有率Ｓｏは８１．０％以上が好ましく、８２．０％以上がより好ましく、８３．０％以上が特に好ましい。占有率は、９５％以下が好ましい。図２及び３に示されたゴルフボール２では、ディンプル１０の合計面積は４６９１．５ｍｍ２である。このゴルフボール２の仮想球１４の表面積は５７２８．０ｍｍ２なので、占有率は８１．９％である。
【００５０】
十分な占有率が達成されるとの観点から、ディンプル１０の総数Ｎは２５０個以上が好ましく、２８０個以上がより好ましく、３００個以上が特に好ましい。個々のディンプル１０が乱流化に寄与しうるとの観点から、総数Ｎは４５０個以下が好ましく、４００個以下がより好ましく、３８０個以下が特に好ましい。
【００５１】
本発明において「ディンプルの容積」とは、仮想球１４の表面とディンプル１０の表面とに囲まれた部分の容積を意味する。ゴルフボール２のホップが抑制されるとの観点から、ディンプル１０の総容積は４５０ｍｍ３以上が好ましく、４８０ｍｍ３以上がより好ましく、５００ｍｍ３以上が特に好ましい。ゴルフボール２のドロップが抑制されるとの観点から、総容積は７５０ｍｍ３以下が好ましく、７３０ｍｍ３以下がより好ましく、７１０ｍｍ３以下が特に好ましい。
【００５２】
図５に示されたグラフにおいて、横軸はディンプルの占有率Ｓｏである。このグラフにおいて、縦軸は、比率Ｐｄが９．６０％以上１０．３７％以下であるディンプル１０の数の、ディンプル１０の総数に対する比率Ｒｓである。このグラフにおいて符号Ｌ１で示される直線は、下記の数式で表される。
Ｒｓ ＝ −２．５ ・ Ｓｏ ＋ ２７３
このグラフにおいて、直線Ｌ１よりも上側のゾーンにプロットされるゴルフボール２は、下記数式（１）を満たす。
Ｒｓ ≧ −２．５ ・ Ｓｏ ＋ ２７３      （１）
上記数式（１）を満たすゴルフボール２では、乱流化が促進される。このゴルフボール２は、ドライバーショットでの飛行性能に優れる。
【００５３】
図５のグラフにおいて符号Ｌ２で示される直線は、下記の数式で表される。
Ｒｓ ＝ −２．５ ・ Ｓｏ ＋ ２７８
このグラフにおいて、直線Ｌ２よりも上側のゾーンにプロットされるゴルフボール２は、下記数式（２）を満たす。
Ｒｓ ≧ −２．５ ・ Ｓｏ ＋ ２７８      （２）
上記数式（２）を満たすゴルフボール２では、乱流化が促進される。このゴルフボール２は、ドライバーショットでの飛行性能に優れる。
【００５４】
図５のグラフにおいて符号Ｌ３で示される直線は、下記の数式で表される。
Ｒｓ ＝ −２．５ ・ Ｓｏ ＋ ２８３
このグラフにおいて、直線Ｌ３よりも上側のゾーンにプロットされるゴルフボール２は、下記数式（３）を満たす。
Ｒｓ ≧ −２．５ ・ Ｓｏ ＋ ２８３      （３）
上記数式（３）を満たすゴルフボール２では、乱流化が促進される。このゴルフボール２は、ドライバーショットでの飛行性能に優れる。
【００５５】
図６に示されたグラフにおいて、横軸はディンプルの占有率Ｓｏである。このグラフにおいて、縦軸は、比率Ｐｄが１０．１０％以上１０．３７％以下であるディンプル１０の数の、ディンプル１０の総数に対する比率Ｒｓ’である。このグラフにおいて符号Ｌ４で示される直線は、下記の数式で表される。
Ｒｓ’ ＝ −２．２ ・ Ｓｏ ＋ ２４５
このグラフにおいて、直線Ｌ４よりも上側のゾーンにプロットされるゴルフボール２は、下記数式（４）を満たす。
Ｒｓ’ ≧ −２．２ ・ Ｓｏ ＋ ２４５      （４）
上記数式（４）を満たすゴルフボール２では、乱流化が促進される。このゴルフボール２は、ドライバーショットでの飛行性能に優れる。
【００５６】
図６のグラフにおいて符号Ｌ５で示される直線は、下記の数式で表される。
Ｒｓ’ ＝ −２．２ ・ Ｓｏ ＋ ２５２
このグラフにおいて、直線Ｌ５よりも上側のゾーンにプロットされるゴルフボール２は、下記数式（５）を満たす。
Ｒｓ’ ≧ −２．２ ・ Ｓｏ ＋ ２５２      （５）
上記数式（５）を満たすゴルフボール２では、乱流化が促進される。このゴルフボール２は、ドライバーショットでの飛行性能に優れる。
【００５７】
図３に示されるように、ゴルフボール２（又は仮想球１４）の表面は、赤道Ｅｑにより、２つの半球ＨＥに区画されうる。具体的には、表面は、北半球ＮＨと南半球ＳＨとに区画されうる。それぞれの半球ＨＥは、ポールＰを有している。ポールＰは、ゴルフボール２のための成形型の、最も深い点に対応する。
【００５８】
図２には、北半球が示されている。南半球は、図２のディンプルパターンがポールＰを中心として回転させられたパターンを有する。図２に示された線分Ｓ１、Ｓ２及びＳ３のそれぞれは、ポールＰから延びている。線分Ｓ１と線分Ｓ２との、ポールＰにおける角度は、１２０°である。線分Ｓ２と線分Ｓ３との、ポールＰにおける角度は、１２０°である。線分Ｓ３と線分Ｓ１との、ポールＰにおける角度は、１２０°である。
【００５９】
ゴルフボール２（又は仮想球１４）の表面のうち、線分Ｓ１、線分Ｓ２及び赤道Ｅｑで囲まれたゾーンは、第一球面三角形Ｔ１である。ゴルフボール２（又は仮想球１４）の表面のうち、線分Ｓ２、線分Ｓ３及び赤道Ｅｑで囲まれたゾーンは、第二球面三角形Ｔ２である。ゴルフボール２（又は仮想球１４）の表面のうち、線分Ｓ３、線分Ｓ１及び赤道Ｅｑで囲まれたゾーンは、第三球面三角形Ｔ３である。それぞれの球面三角形は、ユニットである。この半球ＨＥは、３つのユニットに区画されうる。
【００６０】
第一球面三角形Ｔ１のディンプルパターンが、２つのポールＰを結ぶ直線を軸として１２０°回転させられると、第二球面三角形Ｔ２のディンプルパターンと、実質的に重なる。第二球面三角形Ｔ２のディンプルパターンが、２つのポールＰを結ぶ直線を軸として１２０°回転させられると、第三球面三角形Ｔ３のディンプルパターンと、実質的に重なる。第三球面三角形Ｔ３のディンプルパターンが、２つのポールＰを結ぶ直線を軸として１２０°回転させられると、第一球面三角形Ｔ１のディンプルパターンと、実質的に重なる。換言すれば、半球のディンプルパターンは、互いに回転対称である３つのユニットからなる。
【００６１】
半球ＨＥのディンプルパターンが、２つのポールＰを結ぶ直線を軸として１２０°回転させられたパターンは、回転前のディンプルパターンと実質的に重なる。半球ＨＥのディンプルパターンは、１２０°回転対称である。
【００６２】
図２に示された線分Ｓ４は、ポールＰから延びている。線分Ｓ４と線分Ｓ１との、ポールＰにおける角度は、６０°である。線分Ｓ４と線分Ｓ２との、ポールＰにおける角度は、６０°である。線分Ｓ４により、第一球面三角形Ｔ１（ユニット）は、小さな球面三角形Ｔ１ａ及び小さな球面三角形Ｔ１ｂに区画されうる。球面三角形Ｔ１ａ及び球面三角形Ｔ１ｂは、小ユニットである。
【００６３】
両ポールＰを結ぶ直線及び線分Ｓ４を含む平面に対して、球面三角形Ｔ１ａのディンプルパターンが反転させられたパターンは、球面三角形Ｔ１ｂのディンプルパターンと実質的に重なる。換言すれば、それぞれのユニットのディンプルパターンは、互いに鏡面対称である２つの小ユニットからなる。
【００６４】
同様に、第二球面三角形Ｔ２のディンプルパターンも、互いに鏡面対称である２つの小ユニットからなる。第三球面三角形Ｔ３のディンプルパターンも、互いに鏡面対称である２つの小ユニットからなる。この半球ＨＥのディンプルパターンは、６個の小ユニットからなる。
【００６５】
本発明者が得た知見によれば、半球のディンプルパターンが互いに１２０°回転対称である３つのユニットからなり、それぞれのユニットのディンプルパターンが互いに鏡面対称である２つの小ユニットからなるゴルフボール２では、乱流化が促進される。このゴルフボール２は、ドライバーショットでの飛行性能に優れる。
【実施例】
【００６６】
以下、実施例によって本発明の効果が明らかにされるが、この実施例の記載に基づいて本発明が限定的に解釈されるべきではない。
【００６７】
［実施例１］
１００質量部のハイシスポリブタジエン（ＪＳＲ社の商品名「ＢＲ−７３０」）、２２．５質量部のアクリル酸亜鉛、５質量部の酸化亜鉛、５質量部の硫酸バリウム、０．５質量部のジフェニルジスルフィド及び０．６質量部のジクミルパーオキサイドを混練し、ゴム組成物を得た。このゴム組成物を共に半球状キャビティを備えた上型及び下型からなる金型に投入し、１７０℃で１８分間加熱して、直径が３８．５ｍｍであるコアを得た。
【００６８】
５０質量部のアイオノマー樹脂（三井デュポンポリケミカル社の商品名「ハイミラン１６０５」）、５０質量部の他のアイオノマー樹脂（三井デュポンポリケミカル社の商品名「ハイミランＡＭ７３２９」）及び４質量部の二酸化チタンを二軸混練押出機で混練し、樹脂組成物を得た。この樹脂組成物を射出成形法にてコアの周りに被覆し、中間層を形成した。この中間層の厚みは、１．６ｍｍであった。
【００６９】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の二酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、１０μｍであった。
【００７０】
１００質量部の熱可塑性ポリウレタンエラストマー（ＢＡＳＦジャパン社の商品名「エラストランＸＮＹ８５Ａ」）及び４質量部の二酸化チタンを二軸押出機で混練し、樹脂組成物を得た。この樹脂組成物から、圧縮成形法にて、ハーフシェルを得た。２枚のハーフシェルで、コア、中間層及び補強層からなる球体を被覆した。これらのハーフシェル及び球体を、共に半球状キャビティを備え、キャビティ面に多数のピンプルを備えた上型及び下型からなるファイナル金型に投入し、圧縮成形法にてカバーを得た。カバーの厚みは、０．５ｍｍであった。カバーには、ピンプルの形状が反転した形状を有するディンプルが形成された。このカバーの周りに二液硬化型ポリウレタンを基材とするクリアー塗料を塗装し、直径が約４２．７０ｍｍであり質量が約４５．６ｇである実施例１のゴルフボールを得た。このゴルフボールの、荷重が９８Ｎ−１２７４Ｎである場合の圧縮変形量は、２．４５ｍｍであった。このゴルフボールのディンプルの仕様が、下記の表１に示されている。
【００７１】
［実施例２−４及び比較例１−３］
ディンプルの仕様を下記の表１−２に示される通りとした他は実施例１と同様にして、実施例２−４及び比較例１−３のゴルフボールを得た。それぞれのゴルフボールにおいて、半球のディンプルパターンは、互いに回転対称である３つのユニットからなる。それぞれのユニットのディンプルパターンは、互いに鏡面対称である２つの小ユニットからなる。半球における小ユニットの数は、６である。実施例４に係るゴルフボールの半球のディンプルパターンは、６０°回転対称であり、１２０°回転対称であり、１８０°回転対称である。
【００７２】
［比較例４−５］
ディンプルの仕様を下記の表２に示される通りとした他は実施例１と同様にして、比較例４−５のゴルフボールを得た。比較例４に係るゴルフボールのディンプルパターンは、特開２０１３−１５３９６６公報の実施例１に係るゴルフボールのディンプルパターンと同じである。比較例４に係るゴルフボールの半球のディンプルパターンは、回転対称ではない。比較例５に係るゴルフボールのディンプルパターンは、特開２０１３−１５３９６６公報の比較例１に係るゴルフボールのディンプルパターンと同じである。比較例５に係るゴルフボールの半球のディンプルパターンは、回転対称ではない。
【００７３】
［フライトテスト］
ゴルフラボラトリー社のスイングマシンに、チタン合金製のヘッドを備えたドライバー（ダンロップスポーツ社の商品名「ＳＲＩＸＯＮ  Ｚ−ＴＸ」、シャフト硬度：Ｘ、ロフト角：８．５°）を装着した。ヘッド速度が５０ｍ／ｓｅｃであり、打ち出し角度が約１０°であり、バックスピン速度が約２５００ｒｐｍである条件でゴルフボールを打撃して、発射地点から静止地点までの距離を測定した。テスト時は、ほぼ無風であった。２０回の測定で得られたデータの平均値が、下記の表３−４に示されている。
【００７４】
【表１】
0006776529.tif 000002
【００７５】
【表２】
0006776529.tif 000003
【００７６】
【表３】
0006776529.tif 000004
【００７７】
【表４】
0006776529.tif 000005
【００７８】
表３−４に示されるように、各実施例のゴルフボールは、飛行性能に優れている。この評価結果から、本発明の優位性は明らかである。
【産業上の利用可能性】
【００７９】
前述のディンプルパターンは、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【００８０】
２・・・ゴルフボール
４・・・コア
６・・・中間層
８・・・カバー
１０・・・ディンプル
１２・・・ランド
１４・・・仮想球
【図１】
0006776529.tif 000006
【図２】
0006776529.tif 000007
【図３】
0006776529.tif 000008
【図４】
0006776529.tif 000009
【図５】
0006776529.tif 000010
【図６】
0006776529.tif 000011
【図７】
0006776529.tif 000012
【図８】
0006776529.tif 000013
【図９】
0006776529.tif 000014
【図１０】
0006776529.tif 000015
【図１１】
0006776529.tif 000016
【図１２】
0006776529.tif 000017
【図１３】
0006776529.tif 000018
【図１４】
0006776529.tif 000019
【図１５】
0006776529.tif 000020
【図１６】
0006776529.tif 000021
【図１７】
0006776529.tif 000022
【図１８】
0006776529.tif 000023
【図１９】
0006776529.tif 000024
【図２０】
0006776529.tif 000025
【図２１】
0006776529.tif 000026
【図２２】
0006776529.tif 000027
【図２３】
0006776529.tif 000028
【図２４】
0006776529.tif 000029
【図２５】
0006776529.tif 000030
【図２６】
0006776529.tif 000031